(57)【要約】【課題】監視カメラにより撮像された人物自体が不審者であるか否かを判別することが可能な監視システムを提供する。【解決手段】この監視システム１００は、不審者を監視する監視カメラ１０と、ホームネットワーク４０を介して監視カメラ１０に接続されたプリンタ２０とを備え、監視カメラ１０は、撮影された人物の顔画像データに基づいて撮影された人物が不審者か否かを判別する顔判別機能を有するとともに、顔判別機能に基づいて不審者と判断した場合に、不審者の人物の顔画像データをホームネットワーク４０を介してプリンタ２０に送信し、プリンタ２０は、監視カメラ１０から送信された人物の顔画像データをホームネットワーク４０を介して受信するとともに、不審者の顔画像データに基づいて印刷を行う。【選択図】図１
2008108151.tif 000002
【特許請求の範囲】
【請求項１】
不審者を監視する監視カメラにおいて、
ネットワークを介して前記監視カメラに接続された印刷装置と、
前記監視カメラにネットワークを介して接続され、少なくとも前記監視カメラの監視状況を表示する表示機能を有する表示画面部とをさらに備え、
前記監視カメラは、撮影された人物の顔画像データに基づいて撮影された人物が不審者か否かを判別する顔判別機能を有するとともに、前記顔判別機能に基づいて不審者と判断した場合に、不審者の前記顔画像データをネットワークを介して前記印刷装置に送信し、
前記印刷装置は、前記監視カメラから送信された前記顔画像データをネットワークを介して受信するとともに、前記顔画像データに基づいて印刷を行い、
前記監視カメラは、撮影した人物の前記顔画像データと予め登録された前記顔画像データとを比較して、撮影した人物の前記顔画像データが予め登録された前記顔画像データと異なる場合に、不審者と判断するように構成され、
前記表示画面部は、予め不審者以外の前記顔画像データをネットワークを介して接続された前記監視カメラのデータベースに登録可能なように構成され、
前記表示画面部は、前記印刷装置によって印刷された前記顔画像データを不審者以外の前記顔画像データとして、ネットワークを介して接続された前記監視カメラの前記データベースに保存可能なように構成されている、監視システム。
【請求項２】
不審者を監視する監視カメラと、
ネットワークを介して前記監視カメラに接続された印刷装置とを備え、
前記監視カメラは、撮影された人物の顔画像データに基づいて撮影された人物が不審者か否かを判別する顔判別機能を有するとともに、前記顔判別機能に基づいて不審者と判断した場合に、不審者の前記顔画像データをネットワークを介して前記印刷装置に送信し、
前記印刷装置は、前記監視カメラから送信された前記顔画像データをネットワークを介して受信するとともに、不審者の前記顔画像データに基づいて印刷を行う、監視システム。
【請求項３】
前記監視カメラは、撮影した人物の前記顔画像データと予め登録された前記顔画像データとを比較して、撮影した前記顔画像データが予め登録された前記顔画像データと異なる場合に、不審者と判断するように構成されている、請求項２に記載の監視システム。
【請求項４】
前記監視カメラにネットワークを介して接続され、少なくとも前記監視カメラの監視状況を表示する表示機能を有する表示画面部をさらに備える、請求項２または３に記載の監視システム。
【請求項５】
前記表示画面部は、予め不審者以外の前記顔画像データを、ネットワークを介して接続された前記監視カメラの前記データベースに登録可能なように構成されている、請求項４に記載の監視システム。
【請求項６】
前記表示画面部は、前記印刷装置によって印刷された前記顔画像データを不審者以外の前記顔画像データとして、ネットワークを介して接続された前記監視カメラのデータベースに保存可能なように構成されている、請求項４または５に記載の監視システム。
【発明の詳細な説明】
【技術分野】
【０００１】
この発明は、監視システムに関する。
【背景技術】
【０００２】
従来、不審者を監視する監視カメラを備えた監視システムが知られている（たとえば、特許文献１および２参照）。
【０００３】
上記特許文献１には、侵入センサと、撮像カメラ（監視カメラ）と、記録装置とを備えた警備／監視システム（監視システム）が開示されている。この特許文献１に記載の警備／監視システム（監視システム）では、侵入センサによって侵入者が検知されると、撮像カメラは所定の区域における画像と音声とを収集して記録装置に記録するとともに、通信回線を介して、予め設定されている被通知者に通知し、被通知者に画像信号と音声信号とを送信することが可能なように構成されている。
【０００４】
また、上記特許文献２には、車両の撮像を行う第１の撮像カメラ（監視カメラ）と、車両を所有する運転手の顔を撮像する第２の撮像カメラ（監視カメラ）とを備え、監視対象となる車両の車番情報を記憶した監視対象情報データベースを有する不審者監視システム（監視システム）が開示されている。この特許文献２に記載の不審者監視システム（監視システム）では、監視区域に侵入する車両を第１の撮像カメラによって撮像するとともに、車両を運転する運転手を第２の撮像カメラによって撮像する。そして、監視対象情報データベースに記憶されている監視対象となる車両の車番情報と、取得した撮像情報（車番情報）とを比較し、監視対象情報となる車両の車番と取得した撮像情報（車番情報）とが一致する場合にスピーカなどにより警報を発することが可能なように構成されている。
【０００５】
また、従来では、撮像画像で撮像された画像などをネットワークを介して送信する技術も知られている（たとえば、特許技術３および４参照）。
【０００６】
上記特許文献３には、データ処理装置を備えた撮像装置が開示されている。この特許文献３に記載の撮像装置では、ネットワークを構成するデータ処理装置に人物の属性情報および属性情報に対応づけられた配信情報を登録しておくことにより、画像を取得したデータ処理装置は、ネットワーク内の他の端末から登録情報を収集し、登録された属性情報に対応する人物が含まれるか否かを判別する。そして、登録された属性情報が含まれると判別された画像をそれぞれ対応する配信情報に基づく配信先に送信することが可能なように構成されている。
【０００７】
また、上記特許文献４には、デジタルカメラと通信ネットワークとを相互接続させるためのネットワーク通信ポートを備えた、カメラ・ネットワーク通信デバイスが開示されている。この特許文献４に記載のカメラ・ネットワーク通信デバイスは、事前に定義されているプロトコルと通信モードとを介したネットワークとの通信を確立させるためのネットワーク通信ポートを有することによって、ネットワーク側との通信を確立させている。また、カメラ・ネットワーク通信デバイスのデジタルカメラ側には、デジタルカメラとネットワーク通信デバイスとの間でデータを送受信するためにデジタルカメラへの接続用として、ＵＳＢまたはＩｒｄａポートなどのカメラ通信ポートを有する。これによってカメラとの通信を確立させている。したがって、画像データをデジタルカメラからカメラ・ネットワーク通信デバイスを用いてネットワークを介してプリンタ（印刷装置）などに送信することが可能なように構成されている。
【０００８】
【特許文献１】特開２００３−３１７１７５号公報
【特許文献２】特開２００５−２２２１５９号公報
【特許文献３】特開２００６−１６６４０８号公報
【特許文献４】特表２００３−５１８７８５号公報
【発明の開示】
【発明が解決しようとする課題】
【０００９】
しかしながら、上記特許文献１に記載の警備／監視システム（監視システム）では、侵入センサによって侵入者を検知することによって、監視区域内に侵入するすべての侵入者を検知して記録および通知を行うために、不審者と不審者でない者とを区別なく記録して通知してしまう。そのため、上記特許文献１に記載の警備／監視システムでは、侵入者が不審者か否かを判別するのは困難であるという問題点がある。
【００１０】
また、上記特許文献２に記載の不審者監視システム（監視システム）では、監視カメラにより撮像した車両画像の車番情報を、画像車両監視対象情報データベースに記憶されている監視対象となる車両の車番情報と照らし合わせる一方、監視カメラにより撮像された運転者の顔の判定は行わないため、その運転者自身が不審者であるか否かを判別するのは困難であるという問題点がある。
【００１１】
また、上記特許文献３に記載の撮像装置では、データ処理装置に人物の属性情報および属性情報に対応づけられた配信情報を登録しておくことにより、撮像画像内に登録されている人物が写っている場合にその人物の配信先へ画像を送信する一方、予め登録されている人物に撮像画像を配信するのみであることから、撮像画像に含まれる人物が不審者か否かを判別するのは困難であるという問題点がある。
【００１２】
また、上記特許文献４に記載のカメラ・ネットワーク通信デバイスでは、カメラ・ネットワーク通信デバイスをデジタルカメラとプリンタ（印刷装置）などとの間に配置することにより、画像データをデジタルカメラからプリンタに送信する機能を有する一方、画像データに人物の顔が含まれている場合に、その人物が不審者か否かを判別するのは困難であるという問題点がある。
【００１３】
この発明は、上記のような課題を解決するためになされたものであり、この発明の１つの目的は、監視カメラにより撮像された人物自体が不審者であるか否かを判別することが可能な監視システムを提供することである。
【課題を解決するための手段および発明の効果】
【００１４】
この発明の第１の局面による監視システムは、不審者を監視する監視カメラにおいて、ネットワークを介して監視カメラに接続された印刷装置と、監視カメラにネットワークを介して接続され、少なくとも監視カメラの監視状況を表示する表示機能を有する表示画面部とを備え、監視カメラは、撮影された人物の顔画像データに基づいて撮影された人物が不審者か否かを判別する顔判別機能を有するとともに、顔判別機能に基づいて不審者と判断した場合に、不審者の顔画像データをネットワークを介して印刷装置に送信し、印刷装置は、監視カメラから送信された顔画像データをネットワークを介して受信するとともに、顔画像データに基づいて印刷を行い、監視カメラは、撮影した人物の顔画像データと予め登録された顔画像データとを比較して、撮影した人物の顔画像データが予め登録された顔画像データと異なる場合に、不審者と判断するように構成され、表示画面部は、予め不審者以外の顔画像データをネットワークを介して接続された監視カメラのデータベースに登録可能なように構成され、表示画面部は、印刷装置によって印刷された顔画像データを不審者以外の顔画像データとして、ネットワークを介して接続された監視カメラのデータベースに保存可能なように構成されている。
【００１５】
この第１の局面による監視システムでは、上記のように、監視カメラを、撮影された人物の顔画像データに基づいて撮影された人物が不審者か否かを判別する顔判別機能を有するように構成することによって、監視カメラに撮影された人物が、不審者であるか否かを容易に判断することができる。また、監視カメラは不審者と判断した場合に不審者の顔画像データをネットワークを介して印刷装置に送信するとともに、印刷装置はネットワークを介して不審者の顔画像データを受信して印刷するように構成することによって、ユーザは印刷された不審者の画像を見ることにより不審者自身を認識することができる。また、監視カメラにより不審者の顔画像がネットワークを介して印刷装置に送信されるとともに、印刷装置により、監視カメラから送信された不審者の顔画像データがネットワークを介して受信されて印刷されるので、ユーザが印刷装置に不審者の顔画像データを送信する操作を行う必要がなく、自動的に不審者の顔画像データの印刷を行うことができる。
【００１６】
また、第１の局面による監視システムでは、監視カメラは、撮影した人物の顔画像データと予め登録された顔画像データとを比較して、撮影した顔画像データが予め登録された顔画像データと異なる場合に不審者と判断するように構成されていることによって、容易に、監視カメラ側で不審者と不審者でない者とを判別することができる。また、監視カメラにネットワークを介して接続され、少なくとも監視カメラの監視状況を表示する表示機能を有する表示画面部を設けることによって、ユーザは監視カメラの監視状況を表示画面部で見ることができるので、監視作業を容易に行うことができる。また、表示画面部を、予め不審者以外の顔画像データをネットワークを介して接続された監視カメラのデータベースに登録可能なように構成することによって、ユーザは表示画面部での操作により不審者ではない者を監視カメラのデータベースに予め登録することができるので、家族など不審者ではない者の登録を容易に行うことができる。また、表示画面部は、印刷装置によって印刷された顔画像データを不審者以外の顔画像データとして、ネットワークを介して接続された監視カメラのデータベースに保存可能なように構成することによって、ユーザは印刷された顔画像を見て不審者ではないと判断した場合に、その人物の顔画像データを監視カメラのデータベースに表示画面部での操作により保存することができるので、家族など予め登録された不審者ではない者とは別に、知人などの不審者以外の顔画像データの保存を容易に行うことができる。
【００１７】
この発明の第２の局面による監視システムは、不審者を監視する監視カメラと、ネットワークを介して監視カメラに接続された印刷装置とを備え、監視カメラは、撮影された人物の顔画像データに基づいて撮影された人物が不審者か否かを判別する顔判別機能を有するとともに、顔判別機能に基づいて不審者と判断した場合に、不審者の顔画像データをネットワークを介して印刷装置に送信し、印刷装置は、監視カメラから送信された顔画像データをネットワークを介して受信するとともに、不審者の顔画像データに基づいて印刷を行う。
【００１８】
この第２の局面による監視システムでは、上記のように、監視カメラを、撮影された人物の顔画像データに基づいて撮影された人物が不審者か否かを判別する顔判別機能を有するように構成することによって、監視カメラに撮影された人物が、不審者であるか否かを容易に判断することができる。また、監視カメラは不審者と判断した場合に不審者の撮影画像データをネットワークを介して印刷装置に送信するとともに、印刷装置はネットワークを介して不審者の撮影顔データを受信して印刷するように構成することによって、ユーザは印刷された不審者の画像を見ることにより不審者自身を認識することができる。また、監視カメラにより不審者の撮影画像がネットワークを介して印刷装置に送信されるとともに、印刷装置により、監視カメラから送信された不審者の顔画像データがネットワークを介して受信されて印刷されるので、ユーザが印刷装置に不審者の顔画像データを送信する操作を行う必要がなく、自動的に不審者の顔画像データの印刷を行うことができる。
【００１９】
この第２の局面による監視システムにおいて、好ましくは、監視カメラは、撮影した人物の顔画像データと予め登録された顔画像データとを比較して、撮影した顔画像データが予め登録された顔画像データと異なる場合に不審者と判断するように構成されている。このように構成すれば、容易に、監視カメラ側で不審者と不審者でない者とを判別することができる。
【００２０】
この第２の局面による監視システムにおいて、好ましくは、監視カメラにネットワークを介して接続され、少なくとも監視カメラの監視状況を表示する表示機能を有する表示画面部を設けるように構成されている。このように構成すれば、ユーザは監視カメラの監視状況を表示画面部で見ることができるので、監視作業を容易に行うことができる。
【００２１】
この場合、好ましくは、表示画面部を、予め不審者以外の顔画像データをネットワークを介して接続された監視カメラのデータベースに登録可能なように構成する。このように構成すれば、ユーザは不審者ではない者を表示画面部での操作により監視カメラのデータベースに予め登録することができるので、家族など不審者ではない者の登録を容易に行うことができる。
【００２２】
上記表示画面部を設ける構成において、好ましくは、表示画面部は、印刷装置によって印刷された顔画像データを不審者以外の顔画像データとして、ネットワークを介して接続された監視カメラのデータベースに保存可能なように構成する。このように構成すれば、ユーザは印刷された顔画像を見て不審者ではないと判断した場合に、その人物の顔画像データを監視カメラのデータベースに表示画面部での操作により保存することができるので、家族など予め登録された不審者ではない者とは別に、知人などの不審者以外の撮影画像データの保存を容易に行うことができる。
【発明を実施するための最良の形態】
【００２３】
以下、本発明を具体化した実施形態を図面に基づいて説明する。
【００２４】
図１は、本発明の一実施形態による監視システムの全体構成を示す概略図である。図２は、本発明の一実施形態による監視システムの監視カメラおよび印刷装置の構成を説明するためのブロック図である。図３は、本発明の一実施形態による監視カメラのソフトウェア構成を示すシステム構成図である。まず、図１〜図３を参照して、本発明の一実施形態による監視システムの構成について説明する。
【００２５】
本実施形態による監視システム１００は、図１に示すように、ホームネットワーク４０を介して、所定の監視領域に侵入した不審者を撮影する監視カメラ１０と、監視カメラ１０からホームネットワーク４０を介して送信された不審者の顔画像データを印刷するプリンタ２０と、たとえばテレビジョンやモニターなどの表示画面部３０ａを有する表示装置３０とを備えている。ここで、ホームネットワーク４０とは、たとえば、ＤＬＮＡ（Ｄｉｇｉｔａｌ  Ｌｉｖｉｎｇ  Ｎｅｔｗｏｒｋ  Ａｌｌｉａｎｃｅ）が提唱しているような、テレビジョンなどの家電製品や、パーソナルコンピュータ（ＰＣ）などの電子装置に互換性を持たせ、家庭内での電子装置間のネットワークを可能にさせるものである。また、ホームネットワーク４０に接続されている監視カメラ１０とプリンタ２０とは、ＤＭＳ(Ｄｉｇｉｔａｌ  Ｍｅｄｉａ  Ｓｅｒｖｅｒ)として動作している。ここで、ＤＭＳとは、コンテンツを送信するサーバー側という意味である。また一方で、ホームネットワーク４０に接続されている表示装置３０は、クライアントとして動作している。なお、プリンタ２０は、本発明の「印刷装置」の一例である。また、ホームネットワーク４０は、本発明の「ネットワーク」の一例である。
【００２６】
また、監視カメラ１０には、図２に示すように、レンズ１１と、レンズ１１を駆動させるレンズ駆動部１２と、制御回路部１３と、撮像素子１４と、ネットワークＩ／Ｏ部１５と、電源部１６とが設けられている。
【００２７】
ここで、本実施形態では、図２に示すように、監視カメラ１０の制御回路部１３には、後述するプロファイルデータと監視不要登録データと監視カメラ１０によって撮影された顔画像データとを記憶させるためのデータベース部１３ａが設けられている。なお、データベース部１３ａは、本発明の「データベース」の一例である。
【００２８】
また、図２に示すように、監視カメラ１０の制御回路部１３には、画像処理部１３ｂと、メモリ部１３ｃと、ＣＰＵからなる制御部１３ｄと、レンズ駆動回路１３ｅとが設けられている。
【００２９】
また、図２に示すように、画像処理部１３ｂは、撮像素子１４によって撮影した画像を画像処理するために設けられている。また、メモリ部１３ｃには、監視カメラ１０の動作全体を制御する制御プログラムが格納されている。また、メモリ部１３ｃは、監視カメラ１０が各種の動作を行う上で必要となるプログラムデータや制御パラメータなどを一時的に記憶する機能も有する。また、制御部１３ｄは、監視カメラ１０の動作全体を制御するために設けられている。レンズ駆動回路１３ｅは、レンズ１１を移動させるレンズ駆動部１２を介して、レンズ１１の焦点制御をおこなっている。
【００３０】
また、図３に示すように、監視カメラ１０のメモリ部１３ｃに格納されている制御プログラムには、アプリケーション層として、クライアントとの通信および設定などを行うＧＵＩ４１が含まれている。また、この制御プログラムには、Ｍｉｄｄｌｅ  Ｗａｒｅ層として、撮影画像内における顔画像データを検出するとともに、検出した顔画像データの顔の特徴点を抽出する顔検出アルゴリズム４２ａと、抽出した顔画像データと予めユーザによって登録されている顔画像データとを比較するための顔データ比較４２ｂと、画像処理４２ｃと、常時監視または省エネモードなどといった監視カメラ１０の環境を制御するための見張り制御４２ｄとが含まれている。さらに、制御プログラムには、ＯＳ４３が含まれている。また、この制御プログラムには、ドライバー（Ｄｒｉｖｅｒ）として、レンズ制御４４ａと、撮像素子制御４４ｂと、ネットワーク制御４４ｃと、ＯＳが制御プログラムの資源を操作するための機能を有するファイルシステム４４ｄとが含まれている。
【００３１】
また、図２に示すように、プリンタ２０には、内部にプリンタ２０の動作を制御する制御回路部２１と、ネットワークＩ／Ｏ部２２と、駆動源としてのステッピングモータ２３と、印字ヘッド２４と、電源部２５とが設けられている。制御回路部２１は、印刷動作全体を制御するＣＰＵからなる制御部２１ａと、制御プログラムが書き込まれたプログラム格納メモリ部２１ｂと、作業用メモリ部２１ｃと、モータコントローラ２１ｄと、ヘッドコントローラ２１ｅと、電源ボタン２１ｆとから構成されている。また、ヘッドコントローラ２１ｅは、印刷時にプリンタ２０の印字ヘッド２４の発熱体（図示せず）に電圧パルスを印加することによって、発熱体の温度を制御する機能を有している。
【００３２】
ここで、本実施形態では、図１および図２に示すように、監視カメラ１０のネットワークＩ／Ｏ部１５とプリンタ２０のネットワークＩ／Ｏ部２２とがホームネットワーク４０に接続されていることにより、監視カメラ１０は不審者と判断された顔画像データをホームネットワーク４０を介して自動的にプリンタ２０に送信し、プリンタ２０はホームネットワーク４０を介して受信した顔画像データを自動的に印刷できるように構成されている。また、受信した顔画像データは自動的に印刷されるか否かをユーザによって設定することが可能なように構成されている。
【００３３】
また、本実施形態では、表示装置３０は、図１に示すように、監視カメラ１０およびプリンタ２０とともにホームネットワーク４０を介して接続されており、監視カメラ１０の監視状況の表示と、監視カメラ１０の設定と、後述するプロファイルデータの登録および修正と、後述する監視不要登録の登録データの登録および修正とを、表示装置３０の表示画面部３０ａで行うことができるように構成されている。
【００３４】
図４、図９、図１０、図１４は、図１に示した本発明の一実施形態による監視システムの監視カメラとプリンタとの動作制御を説明するためのフローチャートである。また、図５〜図８、図１１〜１３、図１５〜図２０は、図１に示した本発明の一実施形態による監視システムの表示画面部における動作制御を説明する図である。次に、図１〜図２０を参照して、本発明の一実施形態による監視システムの動作制御について説明する。
【００３５】
まず、図１に示した本発明の一実施形態による監視システム１００を構成するホームネットワーク４０に接続された監視カメラ１０とプリンタ２０とが行う動作制御について説明する。まず、図４に示すように、ステップＳ１において、監視カメラ１０は、所定の監視領域に侵入してきた訪問者を撮影して顔画像データを取得する。次に、ステップＳ２において、顔アルゴリズム４２ａ（図３参照）によって、ステップＳ１で取得した顔画像データの顔の特徴点データが抽出される。そして、ステップＳ３において、顔データ比較４２ｂ（図３参照）のプログラムを用いて取得した顔の特徴点データと監視カメラ１０のデータベース部１３ａに予め登録されている特徴点データ（プロファイルデータ、監視不要登録）との比較を行う。この比較を行う際には、まずステップＳ４において、取得した顔の特徴点データと、家族などを登録したプロファイルデータとが一致するか否かの照合を行う。プロファイルデータと取得した顔との特徴点データが一致すると判断された場合は、監視カメラ１０は訪問者を不審者ではないと判別してステップＳ１の状態に戻り、引き続いて訪問者を撮影する態勢に入る。その一方、プロファイルデータと一致しないと判断された場合には、ステップＳ５に進み、取得した顔の特徴点データと知人などを登録した監視不要登録データとが一致するか否かの照合を行う。特徴点データが監視不要登録データと一致すると判断された場合には、監視カメラ１０は訪問者を不審者ではないと判別してステップＳ１の状態に戻る。一方、特徴点データが監視不要登録データと一致しないと判断された場合には、ステップＳ６において、不審人物と判定する。
【００３６】
ここで、本実施形態では、図４に示すように、ステップＳ６において訪問者が不審人物と判定された場合には、ステップＳ７において、取得された顔画像データに印画コマンド（たとえばＥＸＩＦ形式の印画コマンド）が付加されるとともに、顔画像データはホームネットワーク４０に出力される。そして、ホームネットワーク４０に出力された印画コマンド付きの顔画像データは、ステップＳ８において、ホームネットワーク４０に接続されたプリンタ２０および表示装置３０によって受信される。そして、プリンタ２０が受信したデータを自動的に印刷するように設定されている場合には、ステップＳ９において、プリンタ２０は、印画コマンドに従って顔画像データを印画する。また、ステップＳ９において、表示装置３０の表示画面部３０ａには、図５に示すように、不審人物検出表示画面５０が表示される。これにより、ユーザは不審人物が検出されたことを確認することができる。このようにして、撮影からプリント（印刷）までの動作が行われる。
【００３７】
なお、表示装置３０の表示画面部３０ａには、プリンタ２０による印刷動作に従って、図６および図７に示すように、印刷状況画面５１が表示される。そして、印刷終了後に、図８に示すように、行動選択画面５２が一定時間表示されることによって、「１：警備会社に連絡」、または「２：警察に連絡」を選択および決定することができる。これによって、迅速に警察および警備会社へ連絡することが可能である。また、印刷状況画面５１および行動選択画面５２が一定時間表示された後に、再び不審人物検出表示画面５０が表示され、図５に示すように、検出された不審人物の顔画像データを「１：印刷」、または「２：監視不要登録」、または「３：プロファイル登録」の選択および決定を行うことができる。また、「１：印刷」の選択肢は、顔画像データを自動的に印刷しないように設定されている場合に使用される。また、自動的に顔画像データが印刷された場合においても、「１：印刷」を選択および決定することによって検出された顔画像データを再度印刷することができる。
【００３８】
また、表示装置３０の表示画面部３０ａにおいて、不審人物検出表示画面５０が表示されているにもかかわらず、ユーザが外出などの理由によって選択肢を何も選択しないときには、一定時間経過すると不審人物検出表示画面５０は表示画面部３０ａ上から消えるとともに、不審人物を検出したことが認知できるような（たとえばエクスクラメーションマークの）アイコンが表示装置３０の表示画面部３０ａに表示される。
【００３９】
次に、図４および図９を参照して、受信した顔画像データを自動的には印刷しないような設定がされている場合における動作について説明する。監視カメラ１０によって撮影された人物が不審人物である場合に、図４に示したステップＳ１〜Ｓ８と同様の処理が行われた後、図５に示すように、表示装置３０の表示画面部３０ａには不審人物検出画面５０が表示されるとともに、上述した「１：印刷」と「２：監視不要登録」と「３：プロファイル登録」との選択肢が表示される。この場合に、図９に示したステップＳ１０において、印刷が選択されたか否かが判断される。そして、ユーザが「１：印刷」を選択すると、ステップＳ１０において、印刷が選択されたと判断されて、ステップＳ１１において、印刷を指示する信号がホームネットワーク４０に出力される。それに対応して、ステップＳ１２において、プリンタ２０がホームネットワーク４０を介して印刷指示信号を受信して印刷を行う。なお、印刷しない場合には、リモコン操作によって不審人物検出画面５０は終了される。
【００４０】
次に、図１０〜図１３を参照して、監視不要登録を行う場合の処理フローについて説明する。
【００４１】
ここで、本実施形態では、監視不要登録とは、監視カメラ１０が撮影した顔画像データにおいて、知人など不審者として扱う必要がない人物の顔画像データを監視不要登録データとして登録することができる機能である。
【００４２】
監視不要登録を行う場合の処理フローとしては、まず、図１０に示すように、ステップＳ２１において、ユーザが表示装置３０の表示画面部３０ａに表示された不審人物検出表示画面５０において、監視不要登録を選択したか否かが判断される。そして、ユーザが「２：監視不要登録」を選択すると、ステップＳ２１において、監視不要登録が選択されたと判断されてステップＳ２２において、図１１に示すような監視不要登録（１）画面（監視不要登録確認画面）６０が表示されるとともに、監視不要登録をするか否かの確認のための選択肢が表示される。ここで監視不要登録をする決定（Ｙｅｓを選択する場合）を行うと、ステップＳ２３において、監視不要登録が完了するとともに、図１２に示すような監視不要登録（２）画面（監視不要登録完了画面）６１が表示され、「監視不要登録されました」と表示されるとともに、監視不要登録された顔画像データがホームネットワーク４０を介して監視カメラ１０に送信されて監視カメラ１０のデータベース部１３ａに保存される。なお、図１１に示した監視不要登録（１）画面６０において、ユーザが監視不要登録を行わない選択（Ｎｏを選択する場合）を行うと、ステップＳ２１において監視不要登録が選択されなかったと判断されて、ステップＳ２４において、図１３に示すように監視不要登録（３）画面（監視不要未登録画面）６２が表示されるとともに、「監視不要登録されません」「今後もこの人物が検出されれば警告されます」と表示される。
【００４３】
次に、図１４〜図１７を参照して、プロファイル登録する場合の処理フローについて説明する。
【００４４】
ここで、本実施形態では、プロファイル登録とは、撮影された顔画像データとともに顔画像データに対応する人物の情報（たとえば家族などの情報）をプロファイルデータとして、監視カメラ１０のデータベース部１３ａ（図２参照）に登録しておくことができる機能である。
【００４５】
プロファイル登録を行う処理フローとしては、まず、ステップＳ３１において、ユーザが表示装置３０の表示画面部３０ａに表示された不審人物検出表示画面５０において、プロファイル登録を選択したか否かが判断される。そして、ユーザが「３：プロファイル登録」を選択すると、ステップＳ３１において、プロファイル登録が選択されたと判断されてステップＳ３２において、図１５に示すようなプロファイル登録（１）画面（プロファイル登録確認画面）７０が表示されるとともに、プロファイル登録をするか否かの確認のための選択肢が表示される。ここで、プロファイル登録をする決定（Ｙｅｓを選択する場合）を行うと、ステップＳ３３において、図１６に示すように、プロファイル登録（２）画面７１が表示されるとともに、プロファイルデータ記入部７１ａが表示される。そして、ユーザが撮影された顔画像データに対応する人物についての個人情報を入力することによってプロファイル登録が完了されるとともに、プロファイル登録された顔画像データおよび個人情報は、ホームネットワーク４０を介して監視カメラに送信されて、監視カメラ１０のデータベース部１３ａに保存される。なお、個人情報としては、氏名、住所および間柄などの情報を記入するように構成されている。また、図１５に示したプロファイル登録画面（１）７０において、ユーザがプロファイル登録をしない決定（Ｎｏを選択した場合）を行うと、ステップＳ３１においてプロファイル登録が選択されなかったと判断されて、そのままプロファイル登録画面（１）７０が表示画面部３０ａから消えることによって動作は終了する。
【００４６】
次に、図１に示した本発明の一実施形態による監視システム１００の監視カメラ１０とプリンタ２０との設定を、表示装置３０の表示画面部３０ａ上において行う動作について説明する。
【００４７】
本実施形態では、図１に示すように、ホームネットワーク４０を介してサーバーとして動作している監視カメラ１０およびプリンタ２０に対して、ホームネットワーク４０を介してクライアントとして動作している表示装置３０の表示画面部３０ａ上による操作によって設定を行うことができる。具体的には、まず、図１８に示すように、表示装置３０の画面表示部３０ａ上に、サーバー選択画面８０を表示させた後、ホームネットワーク４０に接続されている複数のサーバーの中から使用したいサーバーを、サーバー選択画面８０上で選択して表示する。サーバー選択画面８０には、ホームネットワーク４０に接続されていることによって選択可能なサーバーの一覧が表示されたサーバー表示部８０ａと、サーバーの選択および決定ボタンを表示する操作部８０ｂとが表示される。このサーバー選択画面８０において、監視カメラ１０を選択する場合には、リモコンおよび後述するマルチコントローラによる操作で左右ボタンを押すことによって、監視カメラ１０を選択した後、操作部８０ｂにおいて決定を選択する。
【００４８】
そして、サーバー選択画面８０において監視カメラ１０を選択すると、図１９に示すように、カメラメニュー画面８１が表示されるとともに、カメラメニュー画面８１には複数の選択可能な項目が表示される。具体的には、カメラメニュー画面８１には、図２０に示すように、画像閲覧８１ａと、プロファイルデータ修正８１ｂと、登録データの修正８１ｃと、設定８１ｄと、マルチコントローラで選択８１ｅとにより構成される項目の一覧が表示される。このカメラメニュー画面８１において画像閲覧８１ａを選択すると、選択した時の状態における監視カメラ１０の撮影状況が表示される。
【００４９】
また、図１９に示したカメラメニュー画面８１においてプロファイルデータ修正８１ｂを選択すると、図１７に示すような、プロファイル登録（３）画面（プロファイルデータ確認画面）７２が表示されるとともに、プロファイルデータ記入部７２ａが表示され、プロファイルデータ記入部７２ａに情報を入力することによって、プロファイルデータの修正および削除を行うことができる。
【００５０】
また、図１９に示したカメラメニュー画面８１において、登録データの修正８１ｃを選択すると、監視不要登録の監視不要登録データの修正と削除とを行うことができる。
【００５１】
また、カメラメニュー画面８１において、設定８１ｄを選択すると、図２０に示すように、ネットワーク設定８２ａと、撮影設定８２ｂと、検出設定８２ｃと、プリンタの設定８２ｄと、マルチコントローラで選択８２ｅとにより構成された設定メニュー画面８２が表示される。この設定メニュー画面８２において、ネットワーク設定８２ａを選択すると、ホームネットワーク４０に接続するための設定を行うことができる。具体的には、ＤＨＣＰの使用とＩＰアドレスの手動による設定とのいずれかを選択して設定することができる。ここで、ＤＨＣＰとは、一時的にネットワークに接続するコンピュータに、ネットワークに接続するために必要なＩＰアドレスなどの情報を自動的に割り当てるプロトコルである。また、設定メニュー画面８２において、撮影設定８２ｂを選択すると、監視カメラ１０による撮影動作の設定を行うことができる。具体的には、常時監視と、省エネモードと、撮影間隔および時間の設定と、チャイム連動動作とのいずれかを選択して設定することができる。また、検出設定８２ｄを選択すると、顔検出の設定を行うことができる。具体的には、顔検出を行うための顔の特徴点データの選択と、複数の顔が検出された場合の処理と、予約登録とを行うことができる。ここで、複数の顔が検出された場合の処理とは、複数の顔の中にプロファイル登録または監視不要登録された顔がある場合に、警告を発信するかまたは発信しないかのいずれかの設定をすることができる機能である。また、予約登録とは、訪問が予定されている人物を登録しておくことができるもので、予約された人物が検出されると、「予約された○○さんが来られました」などのメッセージが表示装置３０の表示画面部３０ａに表示される機能である。
【００５２】
ここで、本実施形態では、設定メニュー画面８２において、プリンタの設定８２ｄを選択すると、プリンタ２０の設定を行うことができる。具体的には、不審者が検出された場合に、不審者の顔画像データを自動的に印刷するかユーザの選択および決定によって印刷するかの設定を行うことができる。また、ホームネットワーク４０上に複数のプリンタ２０が接続されている場合に、ホームネットワーク４０上の複数のプリンタ２０を検出して登録するプリンタ登録と、特定のプリンタ２０を選択して印刷させる選択出力と、不特定のプリンタに印刷させる出力との設定をすることが可能であるように構成されている。また、マルチコントローラで選択８１ｅ（８２ｅ）を選択すると、マルチコントローラによって表示画面部３０ａにおける操作を行うか否かを選択することができる。ここで、マルチコントローラとは、決定ボタンに上下左右への十字キーが備えられているようなリモコン機器のことである。
【００５３】
本実施形態では、上記のように、監視カメラ１０を、撮影された人物の顔画像データに基づいて撮影された人物が不審者か否かを判別する顔判別機能（顔データ比較４２ｂのプログラム）を有するように構成することによって、監視カメラ１０に撮影された人物が、不審者であるか否かを容易に判断することができる。また、監視カメラ１０は不審者と判断した場合に不審者の顔画像データをホームネットワーク４０を介してプリンタ２０に送信するとともに、プリンタ２０はホームネットワーク４０を介して不審者の顔画像データを受信して印刷するように構成することによって、ユーザは印刷された不審者の顔画像を見ることにより不審者自身を認識することができる。また、監視カメラ１０により不審者の顔画像データがホームネットワーク４０を介してプリンタ２０に送信されるとともに、自動的に印刷する設定が行われている場合には、プリンタ２０により、監視カメラ１０から送信された不審者の顔画像データがホームネットワーク４０を介して受信されて印刷されるので、ユーザがプリンタ２０に不審者の顔画像データを送信する操作を行う必要がなく、自動的に不審者の顔画像データの印刷を行うことができる。
【００５４】
また、本実施形態では、上記のように、監視カメラ１０は、撮影した人物の顔画像データと予め登録された顔画像データ（プロファイル登録データおよび監視不要登録データ）とを比較して、撮影した顔画像データが予め登録された顔画像データと異なる場合に不審者と判断するように構成することによって、容易に、監視カメラ１０側で不審者と不審者でない者とを判別することができる。
【００５５】
また、本実施形態では、上記のように、監視カメラ１０にホームネットワーク４０を介して接続され、少なくとも監視カメラ１０の監視状況を表示する表示機能を有する表示画面部３０ａを含む表示装置３０を設けるように構成することによって、ユーザは監視カメラ１０の監視状況を表示装置３０の表示画面部３０ａで見ることができるので、監視作業を容易に行うことができる。
【００５６】
また、本実施形態では、上記のように、表示装置３０の表示画面部３０ａ上において、予め不審者以外の家族などの顔画像データをプロファイル登録データとしてホームネットワーク４０を介して接続された監視カメラ１０のデータベース部１３ａに登録可能なように構成することによって、ユーザは家族などを表示画面部３０ａでの操作により監視カメラ１０のデータベース部１３ａに予め登録をすることができるので、家族など不審者ではない者の登録を容易に行うことができる。
【００５７】
また、本実施形態では、上記のように、表示画面部３０ａは、プリンタ２０によって印刷された顔画像データを不審者以外の顔画像データとして、ホームネットワーク４０を介して接続された監視カメラ１０のデータベース部１３ａに保存可能なように構成することによって、ユーザは印刷された顔画像を見て不審者ではないと判断した場合に、その人物の顔画像データを監視不要登録データとして、監視カメラ１０のデータベース部１３ａに表示画面部３０ａからの操作により保存することができるので、家族など予め登録された不審者ではない者とは別に、知人などの不審者以外の顔画像データの保存を容易に行うことができる。
【００５８】
なお、今回開示された実施形態は、すべての点で例示であって制限的なものではないと
考えられるべきである。本発明の範囲は、上記した実施形態の説明ではなく特許請求の範囲によって示され、さらに特許請求の範囲と均等の意味および範囲内でのすべての変更が含まれる。
【００５９】
たとえば、上記実施形態では、監視カメラのデータベースに予め不審者以外の顔画像データを保存する例を示したが、本発明はこれに限らず、ホームネットワークに接続する機能を有するＨＤＤなどの記憶媒体を、監視カメラのデータベースの代わりに用いてもよい。
【００６０】
また、上記実施形態では、ホームネットワークを利用した家庭内における監視システムの例を示したが、本発明はこれに限らず、ネットワーク設備が整えられた環境であれば、学校やその他の公共機関など家庭内に限らずいずれの場合においても適用可能である。
【００６１】
また、上記実施形態では、不審人物を検出した場合に不審人物の顔画像データをプリンタによって印刷するとともに、表示装置の表示画面部に不審人物検出表示画面が表示されることによって不審人物の検出を知らせる例を示したが、本発明はこれに限らず、音声出力することによって不審人物の検出を知らせてもよい。
【図面の簡単な説明】
【００６２】
【図１】本発明の一実施形態による監視システムの全体構成を示した概略図である。
【図２】図１に示した本発明の一実施形態による監視システムを構成する監視カメラとプリンタとの回路構成を示すブロック図である。
【図３】図１に示した本発明の一実施形態による監視システムを構成する監視カメラの制御プログラムを示すシステム構成図である。
【図４】図１に示した本発明の一実施形態による監視システムを構成する監視カメラとプリンタの動作制御を説明するためのフローチャートである。
【図５】図１に示した本発明の一実施形態による監視システムを構成する表示装置の表示画面部に表示される不審人物検出表示画面を示した図である。
【図６】図１に示した本発明の一実施形態による監視システムを構成する表示装置の表示画面部に表示される印刷状況画面を示した図である。
【図７】図１に示した本発明の一実施形態による監視システムを構成する表示装置の表示画面部に表示される印刷状況画面を示した図である。
【図８】図１に示した本発明の一実施形態による監視システムを構成する表示装置の表示画面部に表示される行動選択画面を示した図である。
【図９】図１に示した本発明の一実施形態による監視システムを構成する表示装置の表示画面部に表示される不審人物検出表示画面において、「１：印刷」を選択する場合の動作を説明するためのフローチャートである。
【図１０】図１に示した本発明の一実施形態による監視システムを構成する表示装置の表示画面部に表示される不審人物検出表示画面において、「２：監視不要登録」を選択する場合の動作を説明するためのフローチャートである。
【図１１】図１に示した本発明の一実施形態による監視システムを構成する表示装置の表示画面部に表示される監視不要登録画面（１）を示した図である。
【図１２】図１に示した本発明の一実施形態による監視システムを構成する表示装置の表示画面部に表示される監視不要登録画面（２）を示した図である。
【図１３】図１に示した本発明の一実施形態による監視システムを構成する表示装置の表示画面部に表示される監視不要登録画面（３）を示した図である。
【図１４】図１に示した本発明の一実施形態による監視システムを構成する表示装置の表示画面部に表示される不審人物検出表示画面において、「３：プロファイル登録」を選択する場合の動作を説明するためのフローチャートである。
【図１５】図１に示した本発明の一実施形態による監視システムを構成する表示装置の表示画面部に表示されるプロファイル登録画面（１）を示した図である。
【図１６】図１に示した本発明の一実施形態による監視システムを構成する表示装置の表示画面部に表示されるプロファイル登録画面（２）を示した図である。
【図１７】図１に示した本発明の一実施形態による監視システムを構成する表示装置の表示画面部に表示されるプロファイル登録画面（３）を示した図である。
【図１８】図１に示した本発明の一実施形態による監視システムを構成する表示装置の表示画面部に表示されるサーバー選択画面を示した図である。
【図１９】図１に示した本発明の一実施形態による監視システムを構成する表示装置の表示画面部に表示されるカメラメニュー画面を示した図である。
【図２０】図１に示した本発明の一実施形態による監視システムを構成する表示装置の表示画面部に表示される設定メニュー画面を示した図である。
【符号の説明】
【００６３】
１０        監視カメラ
１３ａ      データベース部（データベース）
２０        プリンタ（印刷装置）
３０ａ      表示画面部
４０        ホームネットワーク（ネットワーク）
４２ｂ      顔データ比較
１００      監視システム
【図１】
2008108151.tif 000003
【図２】
2008108151.tif 000004
【図３】
2008108151.tif 000005
【図４】
2008108151.tif 000006
【図５】
2008108151.tif 000007
【図６】
2008108151.tif 000008
【図７】
2008108151.tif 000009
【図８】
2008108151.tif 000010
【図９】
2008108151.tif 000011
【図１０】
2008108151.tif 000012
【図１１】
2008108151.tif 000013
【図１２】
2008108151.tif 000014
【図１３】
2008108151.tif 000015
【図１４】
2008108151.tif 000016
【図１５】
2008108151.tif 000017
【図１６】
2008108151.tif 000018
【図１７】
2008108151.tif 000019
【図１８】
2008108151.tif 000020
【図１９】
2008108151.tif 000021
【図２０】
2008108151.tif 000022